(57)【要約】【課題】光源から発した光線を遮ることが少なく、光学フィルム表面の輝度ムラの状況を低減することができる支持構造を有する、直下型バックライトモジュールを提供する。【解決手段】本発明は、背板と、複数の光源と、光学フィルムと、少なくとも１つの支持構造とを含み、前記支持構造が光透過性材質である直下型バックライトモジュールに関する。前記複数の光源及び前記支持構造は前記背板の収容空間内に位置する。前記支持構造は、上方の前記光学フィルムを支持するために用いられ、且つカバー部を有し、前記カバー部の側壁は光透過性材質である。また、前記支持構造はシート状体であってもよい。それにより、前記光学フィルム表面の輝度ムラの状況を低減することができる。【選択図】図１０
2014060181.tif 000002
【特許請求の範囲】
【請求項１】
収容空間を有する背板と、
前記収容空間内に位置する複数の光源と、
前記複数の光源の上方に位置する光学フィルムと、
光透過性材質であり、前記光学フィルムを支持するように前記収容空間内に位置する、少なくとも１つの支持構造と、
を含む、直下型バックライトモジュール。
【請求項２】
前記支持構造は、側壁が光透過性材質であり且つ中空室を画成するカバー部を有する、請求項１に記載の直下型バックライトモジュール。
【請求項３】
前記支持構造が前記カバー部であり、その一端部が前記光学フィルムに接する、請求項２に記載の直下型バックライトモジュール。
【請求項４】
前記支持構造は、一端部が前記カバー部に連結され、他端部が前記光学フィルムに接する頂上柱をさらに有する、請求項２に記載の直下型バックライトモジュール。
【請求項５】
前記頂上柱の表面に複数の微細構造を有する、請求項４に記載の直下型バックライトモジュール。
【請求項６】
前記頂上柱が頂角を有し、前記頂角が５〜１５°の範囲内にある、請求項４に記載の直下型バックライトモジュール。
【請求項７】
前記頂上柱の最大幅が２〜７ｍｍの範囲内にある、請求項４に記載の直下型バックライトモジュール。
【請求項８】
前記複数の光源の１つが前記カバー部の前記中空室の内部に位置する、請求項２に記載の直下型バックライトモジュール。
【請求項９】
前記カバー部の前記側壁が均一の厚さを有する、請求項２に記載の直下型バックライトモジュール。
【請求項１０】
前記カバー部の前記側壁の厚さが０．５〜１．５ｍｍの範囲内にある、請求項９に記載の直下型バックライトモジュール。
【請求項１１】
前記支持構造が前記背板に固定されている、請求項１に記載の直下型バックライトモジュール。
【請求項１２】
前記支持構造はシート状体であり、その一端部が前記光学フィルムに接して前記光学フィルムを支持する、請求項１に記載の直下型バックライトモジュール。
【請求項１３】
前記支持構造が均一の厚さを有する、請求項１２に記載の直下型バックライトモジュール。
【請求項１４】
前記支持構造の厚さが０．５〜１．５ｍｍの範囲内にある、請求項１３に記載の直下型バックライトモジュール。
【請求項１５】
前記支持構造が三角形または矩形である、請求項１２に記載の直下型バックライトモジュール。
【発明の詳細な説明】
【技術分野】
【０００１】
本発明は、直下型バックライトモジュールに関し、特に支持構造を有する直下型バックライトモジュールに関する。
【背景技術】
【０００２】
図１を参照すると、図１は従来の直下型バックライトモジュールを示す断面図である。前記直下型バックライトモジュール１は背板１１と、複数のＬＥＤ１２と、拡散板１３と、複数の支持柱１４と、を含む。前記背板１１は収容空間１１１を有する。前記複数のＬＥＤ１２は前記収容空間１１１内に位置する。前記拡散板１３は前記複数のＬＥＤ１２の上方に位置する。前記複数の支持柱１４の一端部が背板１１に固設され、且つ他端部が前記拡散板１３に接して、前記拡散板１３を支持するために用いられ、前記拡散板１３の落下現象の発生を防止する。
【発明の概要】
【発明が解決しようとする課題】
【０００３】
しかしながら、前記複数の支持柱１４は前記拡散板１３の落下問題を解決はするが、前記複数の支持柱１４が中実円柱であるため、前記複数のＬＥＤ１２が発する光線の一部を遮って、前記拡散板１３の表面に輝度ムラを生じさせることがある。また、前記拡散板１３が薄くなればなるほど、前記輝度ムラがはっきりしてしまう。
【０００４】
したがって、上記問題を解決するために、新規で且つ進歩性に富んだ直下型バックライトモジュールを提供する必要がある。
【課題を解決するための手段】
【０００５】
本発明は、背板と、複数の光源と、光学フィルムと、少なくとも１つの支持構造と、を含む直下型バックライトモジュールを提供する。前記背板は収容空間を有する。前記複数の光源は前記収容空間内に位置する。前記光学フィルムは前記複数の光源の上方に位置する。前記支持構造は前記収容空間内に位置し、前記光学フィルムを支持するために用いられ、前記支持構造は、側壁が光透過性材質であり且つ中空室を画成するカバー部を有する。
【０００６】
前記直下型バックライトモジュールにおいて、前記支持構造は前記光学フィルムの落下現象の発生を防止することができる。また、前記カバー部は光透過性材質であり、その外形が逆Ｕ字形で且つ中空であるため、前記複数の光源が発する光線のほとんどを遮らず、前記光学フィルム表面の輝度ムラの状況を低減することができる。
【０００７】
本発明の他の側面は、背板と、複数の光源と、光学フィルムと、少なくとも１つの支持構造と、を含む直下型バックライトモジュールを提供する。前記背板は収容空間を有する。前記複数の光源は前記収容空間内に位置する。前記光学フィルムは前記複数の光源の上方に位置する。前記支持構造は、前記収容空間内に位置し、且つ光透過性材質であり、前記支持構造はシート状体であり、その一端部が前記光学フィルムに接して、前記光学フィルムを支持する。
【発明の効果】
【０００８】
本発明の直下型バックライトモジュールによれば、光源から発した光線を遮ることが少なく、光学フィルム表面の輝度ムラの状況を低減することができる。
【図面の簡単な説明】
【０００９】
【図１】図１は従来の直下型バックライトモジュールを示す断面図である。
【図２】図２は本発明の直下型バックライトモジュールの第１実施例を示す断面図である。
【図３】図３は図２の直下型バックライトモジュールの光学フィルムを除いた後の平面図である。
【図４】図４は本発明の直下型バックライトモジュールの第２実施例を示す断面図である。
【図５】図５は図４の直下型バックライトモジュールの光学フィルムを除いた後の平面図である。
【図６】図６は本発明の直下型バックライトモジュールの第３実施例を示す断面図である。
【図７】図７は図６の直下型バックライトモジュールの光学フィルムを除いた後の平面図である。
【図８】図８は本発明の直下型バックライトモジュールの第４実施例を示す断面図である。
【図９】図９は図８の直下型バックライトモジュールの光学フィルムを除いた後の平面図である。
【図１０】図１０は本発明の直下型バックライトモジュールの第５実施例を示す断面図である。
【図１１】図１１は図１０の直下型バックライトモジュールの光学フィルムを除いた後の平面図である。
【発明を実施するための形態】
【００１０】
図２を参照すると、図２は本発明の直下型バックライトモジュールの第一実施例を示す断面図である。前記直下型バックライトモジュール２は、背板２１と、複数の光源２２と、光学フィルム２３と、少なくとも１つの支持構造２４と、を含む。前記背板２１は収容空間２１１を有する。前記複数の光源２２は前記収容空間２１１内に位置する。本実施例において、前記複数の光源２２はＬＥＤであるが、他の実施例では前記複数の光源２２が蛍光管（ＣＣＦＬ）であってもよい。前記光学フィルム２３は前記複数の光源２２の上方に位置する。本実施例では、前記光学フィルム２３が拡散板であり、且つその厚さは２ｍｍより小さく、たとえば１．５ｍｍである。
【００１１】
前記支持構造２４は前記収容空間２１１内に位置して、前記光学フィルム２３を支持するために用いられる。前記支持構造２４はカバー部２５を有し、前記カバー部２５の側壁は光透過性材質であり、且つ中空室２５１を画成する。本実施例では、前記カバー部２５の前記側壁が均一の厚さを有し、前記カバー部２５の前記側壁の厚さは０．５〜１．５ｍｍの範囲内にあることが好ましい。本実施例では、前記支持構造２４が前記カバー部２５そのものであり、その一端部（上端部）は前記光学フィルム２３に接して支持し、他端部（下端部）は前記背板２１に固定される。
【００１２】
本実施例において、前記カバー部２５の下端部が延伸突縁２５２を有し、且つ前記背板２１が前記延伸突縁２５２に対応する係止溝２１２を有する。前記延伸突縁２５２は、前記支持構造２４が前記背板２１に固定されるように、前記係止溝２１２に回転係止される。前記支持構造２４が他の方式（たとえば、ロック接合、接着、リベット接合、又は挿設等）を利用して前記背板２１に固定されてもよいことは理解することができる。また、前記背板２１の上方に反射シート（図示せず）を有する場合は、前記支持構造２４が前記反射シートを貫通して前記背板２１に固定されてもよく、または、前記支持構造２４が前記反射シートに固定されてもよい。
【００１３】
図３を参照すると、図３は図２の直下型バックライトモジュールの、光学フィルムを除いた後の平面図である。前記直下型バックライトモジュール２は４つの支持構造２４を含み、それらは前記収容空間２１１の中央部に位置し、且つ前記複数の光源２２の間に分散されている。
【００１４】
前記直下型バックライトモジュール２において、前記支持構造２４が前記光学フィルム２３の落下現象の発生を防止することができる。また、前記カバー部２５は光透過性材質であり、その外形が逆Ｕ字形で且つ中空であり、前記複数の光源２２が発する光線を遮ることが少ないため、前記光学フィルム２３表面の輝度ムラの状況を低減することができる。
【００１５】
図４及び図５を参照すると、図４は本発明の直下型バックライトモジュールの第２実施例を示す断面図であり、図５は図４の直下型バックライトモジュールの光学フィルムを除いた後の平面図である。本実施例の直下型バックライトモジュール２ａは、図２及び図３に示された直下型バックライトモジュール２と大体同様であり、その中、同じ部材には同じ番号を付与し、本実施例では支持構造２４それぞれが前記複数の光源２２の中の１つを覆っていることに相違がある。すなわち、前記複数の光源２２の中の１つが前記カバー部２５の前記中空室２５１の内部に位置する。本実施例では、前記支持構造２４が１つの光源２２の真上に位置しているため、他の光源２２からの距離が最大であり、他の光源２２に対する影響も最小であり、加えて、前記カバー部２５が光透過性材質である。したがって、前記光学フィルム２３表面の輝度ムラの状況をさらに低減することが可能である。
【００１６】
図６を参照すると、図６は本発明の直下型バックライトモジュールの第３実施例を示す断面図である。本実施例の直下型バックライトモジュール３は、図２及び図３に示された直下型バックライトモジュール２と大体同様であり、その中、同じ部材には同じ番号を付与し、前記支持構造２４ａの構造に相違がある。本実施例において、前記支持構造２４ａはカバー部２６と頂上柱２７とを有する。前記カバー部２６の側壁は光透過性材質であり、且つ中空室２６１を画成する。前記カバー部２６の前記側壁は均一の厚さを有し、前記カバー部２６の前記側壁の厚さは０．５〜１．５ｍｍの範囲内にあることが好ましい。前記頂上柱２７の一端部（下端部）は前記カバー部２６に連接し、他端部（上端部）は前記光学フィルム２３に接して支持する。前記頂上柱２７は光透過性または光不透過性であり、また、その表面に複数の微細構造または霧面処理を有してもよい。
【００１７】
前記頂上柱２７は錐状物であり、頂角αを有し、前記頂角αは５〜１５°の範囲内にあり、且つ前記頂上柱２７の最大幅は２〜７ｍｍの範囲内にある。前記カバー部２６と前記頂上柱２７とが一体に成型されることが好ましい。同様に、前記支持構造２４ａが前記背板２１に固定されるように、前記カバー部２６の下端部には延伸突縁２６２を有し、前記背板２１の係止溝２１２に回転係止するために用いられる。
【００１８】
また、前記支持構造２４ａは、係合、ロック接合、接着、リベット接合、又は挿設等の方式を利用して、前記背板２１に固定されてもよい。また、前記背板２１の上方に反射シート（図示せず）を有する場合は、前記支持構造２４ａが前記反射シートを貫通して前記背板２１に固定されてもよく、または前記支持構造２４ａが前記反射シートに固定されてもよい。
【００１９】
図７を参照すると、図７は図６の直下型バックライトモジュールの光学フィルムを除いた後の平面図である。前記直下型バックライトモジュール３は、４つの支持構造２４ａを含み、それらは前記収容空間２１１の中央部に位置し、且つ前記複数の光源２２の間に分散されている。
【００２０】
前記直下型バックライトモジュール３において、前記支持構造２４ａが前記光学フィルム２３の落下現象の発生を防止することができる。また、前記頂上柱２７が細形柱状物になっているので、前記複数の光源２２が発する光線を遮ることが少ないため、前記光学フィルム２３表面の輝度ムラの状況を低減することができる。
【００２１】
図８を参照すると、図８は本発明の直下型バックライトモジュールの第４実施例を示す断面図である。図９を参照すると、図９は図８の直下型バックライトモジュールの光学フィルムを除いた後の平面図である。本実施例の直下型バックライトモジュール３ａは、図６及び図７に示された直下型バックライトモジュール３と大体同様であり、その中、同じ部材には同じ番号を付与し、本実施例では支持構造２４ａそれぞれが前記複数の光源２２の中の１つを覆っていることに相違がある。すなわち、前記複数の光源２２の中の１つが前記カバー部２６の前記中空室２６１の内部に位置する。
【００２２】
また、光源２２の光線は前記カバー部２６を透過することができ、そのなかの一部の光線が前記頂上柱２７の内部に導入され、前記頂上柱２７の表面の複数の微細構造または霧面処理面を透過して、光線を前記頂上柱２７から導き出すことが可能である。または、複数の微細構造または霧面処理は、前記カバー部２６に近接する前記頂上柱２７の半分または一部の表面にのみ成型される。
【００２３】
本実施例において、前記支持構造２４ａは光源２２の真上に位置するため、他の光源２２からの距離が最大であり、他の光源２２に対する影響も最小となり、加えて、前記頂上柱２７は細形柱状物であり、前記複数の光源２２が発する光線を遮ることが少ないため、前記光学フィルム２３表面の輝度ムラの状況をさらに低減することが可能である。
【００２４】
図１０を参照すると、図１０は本発明の直下型バックライトモジュールの第５実施例を示す断面図である。本実施例の直下型バックライトモジュール４は、図２及び図３に示された直下型バックライトモジュール２と大体同様であり、その中、同じ部材には同じ番号を付与し、前記支持構造２４ｂの構造に相違がある。本実施例では、前記支持構造２４ｂがシート状体２８であり、前記光学フィルム２３を支持するために用いられる。前記シート状体２８は光透過性材質であり、且つ均一の厚さを有し、前記シート状体２８の厚さが０．５〜１．５ｍｍの範囲内にあることが好ましい。本実施例では、前記シート状体２８が三角形であり、その一端部（上端部）は前記光学フィルム２３に接して支持し、他端部（下端部）は前記背板２１に固定される。他の実施例では、前記シート状体が矩形または他の形状であってもよい。
【００２５】
本実施例では、前記シート状体２８の下端部に突出部２８１を有し、且つ前記背板２１には前記突出部２８１に対応する貫通孔２１３を有する。前記突出部２８１は、前記支持構造２４ｂが前記背板２１に固定されるように、前記貫通孔２１３を貫通して前記背板２１に係止される。前記支持構造２４ｂが他の方式（たとえば、ロック接合、接着、リベット接合、又は挿設等）を利用して前記背板２１に固定されてもよいことは理解することができる。また、前記背板２１の上方に反射シート（図示せず）を有する場合は、前記支持構造２４ｂが前記反射シートを貫通して前記背板２１に固定されてもよく、または、前記支持構造２４ｂが前記反射シートに固定されてもよい。
【００２６】
図１１を参照すると、図１１は図１０の直下型バックライトモジュールの光学フィルムを除いた後の平面図である。前記直下型バックライトモジュール４は、４つの支持構造２４ｂを含み、それらは前記収容空間２１１の中央部に位置する。支持構造２４ｂそれぞれが２列の光源２２の間に位置し、前記複数の光源２２の配列方向（即ち、図中の水平または垂直方向）と平行になることが好ましい。
【００２７】
前記直下型バックライトモジュール４において、前記支持構造２４ｂは前記光学フィルム２３の落下現象の発生を防止することができる。また、前記支持構造２４ｂは光透過性材質であり、前記複数の光源２２が発する光線を遮ることが少ないため、前記光学フィルム２３表面の輝度ムラの状況を低減することができる。
【００２８】
本発明の直下型バックライトモジュールは、さらに、前記光学フィルム２３の上方に設置される他のフィルムを含んでもよく、他のフィルムとはたとえば拡散シート、集光シート、反射型増光フィルム（ＤＢＥＦ）等のうちの１つまたはその組み合わせ、を含んでもよいが、それらに限らない。
【００２９】
上記の実施例は本発明の原理およびその効果を説明するためのものであり、本発明を限定するものではない。したがって、当業者が上記の実施例に対して行う修正及び変更も本発明の構想から離脱するものではない。本発明の権利の範囲は後述する特許請求の範囲に列記されたとおりである。
【符号の説明】
【００３０】
１  従来の直下型バックライトモジュール
２  本発明の直下型バックライトモジュールの第１実施例
２ａ  本発明の直下型バックライトモジュールの第２実施例
３  本発明の直下型バックライトモジュールの第３実施例
３ａ  本発明の直下型バックライトモジュールの第４実施例
４  本発明の直下型バックライトモジュールの第５実施例
１１  背板
１２  ＬＥＤ
１３  拡散板
１４  支持柱
２１  背板
２２  光源
２３  光学フィルム
２４  支持構造
２４ａ  支持構造
２４ｂ  支持構造
２５  カバー部
２６  カバー部
２７  頂上柱
２８  シート状体
１１１  収容空間
２１１  収容空間
２１２  係止溝
２１３  貫通孔
２５１  中空室
２５２  延伸突縁
２６１  中空室
２６２  延伸突縁
２８１  突出部
α  頂角 
【図１】
2014060181.tif 000003
【図２】
2014060181.tif 000004
【図３】
2014060181.tif 000005
【図４】
2014060181.tif 000006
【図５】
2014060181.tif 000007
【図６】
2014060181.tif 000008
【図７】
2014060181.tif 000009
【図８】
2014060181.tif 000010
【図９】
2014060181.tif 000011
【図１０】
2014060181.tif 000012
【図１１】
2014060181.tif 000013
【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
収容空間を有する背板と、
前記収容空間内に位置する複数の光源と、
前記複数の光源の上方に位置する光学フィルムと、
光透過性材質であり、前記光学フィルムを支持するように前記収容空間内に位置する、少なくとも１つの支持構造と、
を含み、
前記支持構造は、シート状体であり、その一端部が前記光学フィルムに接して前記光学フィルムを支持し、２つの前記光源の配列の間に該配列の各々と平行に設けられる、直下型バックライトモジュール。
【請求項２】
前記支持構造が均一の厚さを有する、請求項１に記載の直下型バックライトモジュール。
【請求項３】
前記支持構造の厚さが０．５〜１．５ｍｍの範囲内にある、請求項２に記載の直下型バックライトモジュール。
【請求項４】
前記支持構造が三角形または矩形である、請求項１から３のいずれか１項に記載の直下型バックライトモジュール。